(57)【要約】      （修正有）【課題】遠赤外線セラミック、又は遠赤外線を放射する無機質の個体、又は無機質の固体、又はそれらの混合物の影響を加える事ができ、使い勝手を損なわない湯たんぽを提供する。【解決手段】出し入れ口が閉じられた繊維製袋状又は網袋状又は穴あき袋状又は籠状又はそれらの複合型の入れ物の隙間又は網目又は穴よりも大きい１個以上の遠赤外線セラミック、又は遠赤外線を放射する無機質の個体、又は無機質の固体、又はそれらの混合物を、出し入れ口が閉じられたその入れ物に入れてある状態の物を内部に有する。【選択図】図１
0003175752.tif 000002
【実用新案登録請求の範囲】
【請求項１】
湯たんぽ１の内部にお湯に代表される液体６を入れて使用する湯たんぽであって、出し入れ口が閉じられた繊維製袋状又は網袋状又は穴あき袋状又は籠状又はそれらの複合型の入れ物４の隙間又は網目又は穴よりも大きい１個以上の遠赤外線セラミック５を、出し入れ口が閉じられたその入れ物４に入れてある状態の物を、内部に有する事を特徴とする湯たんぽ構造。
【請求項２】
湯たんぽ１の内部にお湯に代表される液体６を入れて使用する湯たんぽであって、出し入れ口が閉じられた繊維製袋状又は網袋状又は穴あき袋状又は籠状又はそれらの複合型の入れ物４の隙間又は網目又は穴よりも大きい１個以上の、遠赤外線を放射する無機質の固体５を、出し入れ口が閉じられたその入れ物４に入れてある状態の物を、内部に有する事を特徴とする湯たんぽ構造。
【請求項３】
湯たんぽ１の内部にお湯に代表される液体６を入れて使用する湯たんぽであって、出し入れ口が閉じられた繊維製袋状又は網袋状又は穴あき袋状又は籠状又はそれらの複合型の入れ物４の隙間又は網目又は穴よりも大きい１個以上の、無機質の固体５を、出し入れ口が閉じられたその入れ物４に入れてある状態の物を、内部に有する事を特徴とする湯たんぽ構造。
【請求項４】
湯たんぽ１の内部にお湯に代表される液体６を入れて使用する湯たんぽであって、出し入れ口が閉じられた繊維製袋状又は網袋状又は穴あき袋状又は籠状又はそれらの複合型の入れ物４の隙間又は網目又は穴よりも大きい１個以上の、遠赤外線セラミック、遠赤外線を放射する無機質の個体、無機質の固体の３種類の内から成る混合物５を、出し入れ口が閉じられたその入れ物４に入れてある状態の物を、内部に有する事を特徴とする湯たんぽ構造。
【請求項５】
以下に示す事を特徴とする［請求項１］［請求項２］［請求項３］［請求項４］に共通する湯たんぽ構造の製造方法の１つ。
まず、［図２］（１）の様に、湯たんぽ１の内部の長い方の全長に出し入れ口を閉じる為に必要な長さを加えた長さを有する繊維製袋状又は網袋状又は穴あき袋状又は籠状又はそれらの複合型の入れ物４を縦長に折りたたんだり丸めたりして、湯たんぽの開口部３から内部に入る様に細長くし、その入れ物４の出し入れ口付近を残して大部分を湯たんぽ１の開口部３から内部に挿入する。
次に、［図２］（２）の様に、繊維製袋状又は網袋状又は穴あき袋状又は籠状又はそれらの複合型の入れ物４の出し入れ口から遠赤外線セラミック、又は遠赤外線を放射する無機質の固体、又は無機質の固体、又はそれらの混合物５をその入れ物４の内部に入れる。
そして、［図２］（３）の様に、繊維製袋状又は網袋状又は穴あき袋状又は籠状又はそれらの複合型の入れ物４の出し入れ口を閉じる。閉じる方法は限定されるものではない。
最後に、［図２］（４）の様に、繊維製袋状又は網袋状又は穴あき袋状又は籠状又はそれらの複合型の入れ物４の出し入れ口が閉じられた部分を湯たんぽ１の内部に押し込み、完全に入れ、ゴムパッキンが付属している口栓２を閉める。
【考案の詳細な説明】
【技術分野】
【０００１】  本考案は湯たんぽにおいて、内部にお湯に代表される液体を入れて使用する湯たんぽであって、遠赤外線セラミック、又は遠赤外線を放射する無機質の固体、又は無機質の固体、又はそれらの混合物を有し、その影響を比較的多く加える事のでき、かつ、使い勝手を損なわない湯たんぽ構造に係わる。
【背景技術】
【０００２】  従来から、湯たんぽの主目的は、身体や寝具を暖めるなどの局所的直接的暖房であり、使用時に内部に有する物質は液体であるお湯が主であった。一方、近年においては、遠赤外線セラミック、又は遠赤外線を放射する無機質の個体、又は磁石などの無機質の固体、又はそれらの混合物を使用した多様な温熱器具や暖房器具や入浴補助用品などが出回っている。【０００３】  例えば、遠赤外線やぐら湯たんぽが提案されている（特許文献１）。【０００４】  又、遠赤外線効果を有する保温体が提案されている（特許文献２）。【０００５】  又、磁力温熱押圧健康器が提案されている（特許文献３）。【０００６】  又、シリコンゴム製の氷枕又は湯たんぽが提案されている（特許文献４）。【０００７】  又、別の湯たんぽが提案されている（特許文献５）。
【先行技術文献】
【特許文献】
【特許文献１】特許公開２００１−２９３０２６公報
【特許文献２】登録実用新案第３０５５７９２号公報
【特許文献３】特許公開平５−２２８１９９公報
【特許文献４】登録実用新案第３１５４１３６号公報
【特許文献５】特許公開平２０１１−１４７５９９公報
【考案の概要】
【考案が解決しようとする課題】
【０００８】  しかしながら、特許文献１記載の遠赤外線やぐら湯たんぽでは、遠赤外線については、遠赤外線の放射効率の良い岩石の粉を鉄にまぶしただけである為、本考案の一部が可能にしている直径又は長い方の全長が１ｃｍ以上ある１個以上の遠赤外線セラミック、又は遠赤外線を放射する無機質の個体を有する湯たんぽよりも、遠赤外線の影響は少ない物と推察される。【０００９】  又、特許文献２記載の保温体においても、遠赤外線については、内部に有する穀類から放出される遠赤外線の影響は、本考案の一部が可能にしている直径又は長い方の全長が１ｃｍ以上ある１個以上の遠赤外線セラミック、又は遠赤外線を放射する無機質の個体を有する湯たんぽよりも少ない物と推察される上、繰り返し使用したり日数を重ねたりする内に、穀類の状態が粉砕や分解や発酵などにより変化したりする可能性がある。【００１０】  又、特許文献３の様にマグネット粒の様な無機質の固体を湯たんぽ本体の表面に嵌め入れ配列する構造では、本考案の一部が可能にしている湯たんぽよりもマグネット粒の様な無機質の固体を有する量又は質量の限度が比較的大きくない為、その影響の限度も比較的大きくない上、設計や製造に高い精度が要求され、その分の製造コストが高くなる事が考えられ、嵌め入れてある物がはずれるなどという故障の様な事が起こる可能性もある。【００１１】  又、特許文献４の請求項３の湯たんぽの様に遠赤外線放射材を湯たんぽ本体の表層又は裏層の様な層という薄い範囲の中に埋設する構造は、本考案の一部が可能にしている湯たんぽよりも遠赤外線放射材の量又は質量の限度が比較的大きくない為、その影響の限度も比較的大きくない上、設計や製造に高い精度が要求され、その分の製造コストも高くなる事が考えられる。【００１２】  又、特許文献５の様に「発砲樹脂成型体」という物を内部に有する構造では、本考案の一部が可能にしている遠赤外線の比較的多い放射については、遠赤外線の放射その物が全く想定されていない。又、冷めた液体を抜く際にしっかり気を付けていないと「発砲樹脂成型体」という物も一緒に湯たんぽの開口部から外に流れ出易い形態があり、その場合は使い勝手が損なわれる。【００１３】  本考案は、湯たんぽにおいて、内部にお湯に代表される液体を入れて使用する湯たんぽであって、出し入れ口を閉じられた繊維製袋状又は網袋状又は穴あき袋状又は籠状又はそれらの複合型の入れ物の隙間又は網目又は穴よりも大きい１個以上の遠赤外線セラミック、又は遠赤外線を放射する無機質の個体、又は無機質の固体、又はそれらの混合物を、出し入れ口が閉じられたその入れ物に入れてある状態の物を内部に有する事により、その遠赤外線セラミック、又は遠赤外線を放射する無機質の個体、又は無機質の固体、又はそれらの混合物の影響を加える事のでき、かつ、冷めた液体を抜く時も遠赤外線セラミック、又は遠赤外線を放射する無機質の個体、又は無機質の固体、又はそれらの混合物が湯たんぽの開口部から外に流れ出ずに済み、使い勝手を損なわない湯たんぽを提供できる事を目的とする。【００１４】  本考案によれば、湯たんぽでありながら、遠赤外線セラミック、又は遠赤外線を放射する無機質の個体、又は無機質の固体、又はそれら���混合物の影響も比較的多く加わる為、商品の付加価値を高め、購買意欲を喚起し、湯たんぽの拡販に資する事ができる。
【課題を解決するための手段】
【００１５】  本考案の湯たんぽ構造は、湯たんぽにおいて、お湯に代表される液体を入れて使用する湯たんぽであって、出し入れ口が閉じられた繊維製袋状又は網袋状又は穴あき袋状又は籠状又はそれらの複合型の入れ物の隙間又は網目又は穴よりも大きい１個以上の遠赤外線セラミック、又は遠赤外線を放射する無機質の個体、又は無機質の固体、又はそれらの混合物を、出し入れ口が閉じられたその入れ物に入れてある状態の物を内部に有する物である。
【考案の効果】
【００１６】  本考案の湯たんぽによれば、お湯に代表される液体による温熱効果の他に、出し入れ口が閉じられた繊維製袋状又は網袋状又は穴あき袋状又は籠状又はそれらの複合型の入れ物の隙間又は網目又は穴よりも大きい１個以上の遠赤外線セラミック、又は遠赤外線を放射する無機質の個体、又は無機質の固体、又はそれらの混合物の影響も加わり、かつ、冷めた液体を抜く時も遠赤外線セラミック、又は遠赤外線を放射する無機質の個体、又は無機質の固体、又はそれらの混合物が湯たんぽの開口部から外に流れ出ずに済み、使い勝手を損なわない湯たんぽの拡販に資する事ができる。
【考案を実施するための形態】
【００１７】  以下、本考案の湯たんぽ構造をその実施の最良の形態について図面に示す実施例に基づいて具体的に説明する。
【実施例】
【００１８】  ［図１］（ａ）、（ｂ）は本考案の実施例を示し、それぞれ本考案の湯たんぽ構造に使用する湯たんぽの一例を縦にした場合の正面図、正面からの断面図であり、出し入れ口が閉じられた繊維製袋状又は網袋状又は穴あき袋状又は籠状又はそれらの複合型の入れ物４の隙間又は網目又は穴よりも大きい１個以上の遠赤外線セラミック、又は遠赤外線を放射する無機質の個体、又は無機質の固体、又はそれらの混合物５を、出し入れ口が閉じられたその入れ物４に入れてある状態の物を内部に有する湯たんぽ１に、お湯に代表される液体６を入れて、ゴムパッキンが付属している口栓２をしっかりと閉めた状態である。尚、その入れ物４の隙間又は網目又は穴は、構造をわかり易くする為に図面では省略してある。【００１９】  使用後はゴムパッキンが付属している口栓２をはずして開口部３を下に向けると、冷めたお湯に代表される液体６だけが出し入れ口が閉じられた繊維製袋状又は網袋状又は穴あき袋状又は籠状又はそれらの複合型の入れ物４の隙間又は網目又は穴から出て、出し入れ口が閉じられたその入れ物４の隙間又は網目又は穴よりも大きい１個以上の遠赤外線セラミック、又は遠赤外線を放射する無機質の個体、又は無機質の固体、又はそれらの混合物５が湯たんぽ１の開口部３から外に流れ出ずに内部にとどまったまま有する状態である為、この湯たんぽ１を使用する方法は普通の湯たんぽ１と同じであり、使い勝手は損なわれない。遠赤外線セラミック、又は遠赤外線を放射する無機質の個体５は、通常はお湯やぬるま湯や水、即ちＨ２Ｏに大部分が溶けたり分散したり縮小したりする事はなく、無機質の固体、又はそれらの混合物５についても同様である事が確認された物を採用する事により、有機質の様に粉砕や分解や発酵などにより状態が変化したりする事も起こりにくいので繰り返し使用可能である。【００２０】  本考案を実施するにあたり、お湯に代表される液体を入れて使用する湯たんぽであれば、湯たんぽ１の種類はゴム製湯たんぽなどに限定される物ではない。【００２１】  本考案の湯たんぽ構造の製造方法の一例について［図２］（１）〜（４）にて番号順に説明するが、本考案を実施するにあたり、この製造方法に限定される物ではない。尚、その入れ物４の隙間又は網目又は穴は、構造をわかり易くする為に図面では省略してある。【００２２】  まず、［図２］（１）の様に、湯たんぽ１の内部の長い方の全長に出し入れ口を閉じる為に必要な長さを加えた長さを有する繊維製袋状又は網袋状又は穴あき袋状又は籠状又はそれらの複合型の入れ物４を縦長に折りたたんだり丸めたりして、湯たんぽ１の開口部３から内部に入る様に細長くし、その入れ物４の出し入れ口付近を残して大部分を湯たんぽ１の開口部３から内部に挿入する。【００２３】  次に、［図２］（２）の様に、繊維製袋状又は網袋状又は穴あき袋状又は籠状又はそれらの複合型の入れ物４の出し入れ口から遠赤外線セラミック、又は遠赤外線を放射する無機質の固体、又は無機質の固体、又はそれらの混合物５をその入れ物４の内部に入れる。【００２４】  そして、［図２］（３）の様に、繊維製袋状又は網袋状又は穴あき袋状又は籠状又はそれらの複合型の入れ物４の出し入れ口を閉じる。閉じ���方法は限定される物ではない。【００２５】  最後に、［図２］（４）の様に、繊維製袋状又は網袋状又は穴あき袋状又は籠状又はそれらの複合型の入れ物４の出し入れ口が閉じられた部分を湯たんぽ１の内部に押し込み、完全に入れ、ゴムパッキンが付属している口栓２を閉める。
【産業上の利用可能性】
【００２６】  暖房用品の一種として、健康、医療、長寿、癒し、ペット、アウトドア、旅行、ドライブ、節電、電磁波過敏症対策等に係わる産業にも利用可能性がある物と考えられる。
【図面の簡単な説明】
【００２７】
【図１】（ａ）、（ｂ）は、それぞれ本考案の湯たんぽ構造に使用する湯たんぽの一例を縦にした場合の正面図、正面からの断面図である。
【図２】（１）〜（４）は、本考案の湯たんぽ構造の製造方法の一例について番号順に図示した物である。
【符号の説明】
【００２８】１・・・・・・・湯たんぽ
２・・・・・・・ゴムパッキンが付属している口栓
３・・・・・・・開口部
４・・・・・・・繊維製袋状又は網袋状又は穴あき袋状又は籠状又はそれらの複合型の入                れ物
５・・・・・・・遠赤外線セラミック、又は遠赤外線を放射する無機質の個体、又は無機                質の固体、又はそれらの混合物
６・・・・・・・お湯に代表される液体
【図１】
0003175752.tif 000003
【図２】
0003175752.tif 000004
【手続補正書】
【提出日】平成24年3月1日(2012.3.1)
【手続補正１】
【補正対象書類名】実用新案登録請求の範囲
【補正対象項目名】全文
【補正方法】変更
【補正の内容】
【実用新案登録請求の範囲】
【請求項１】
湯たんぽ１の内部にお湯に代表される液体６を入れて使用する湯たんぽであって、出し入れ口が閉じられた繊維製袋状又は網袋状又は穴あき袋状又は籠状又はそれらの複合型の入れ物４の隙間又は網目又は穴よりも大きい１個以上の遠赤外線セラミック５を、出し入れ口が閉じられたその入れ物４に入れてある状態の物を、内部に有する事を特徴とする湯たんぽ構造。
【請求項２】
湯たんぽ１の内部にお湯に代表される液体６を入れて使用する湯たんぽであって、出し入れ口が閉じられた繊維製袋状又は網袋状又は穴あき袋状又は籠状又はそれらの複合型の入れ物４の隙間又は網目又は穴よりも大きい１個以上の、遠赤外線を放射する無機質の固体５を、出し入れ口が閉じられたその入れ物４に入れてある状態の物を、内部に有する事を特徴とする湯たんぽ構造。
【請求項３】
湯たんぽ１の内部にお湯に代表される液体６を入れて使用する湯たんぽであって、出し入れ口が閉じられた繊維製袋状又は網袋状又は穴あき袋状又は籠状又はそれらの複合型の入れ物４の隙間又は網目又は穴よりも大きい１個以上の、無機質の固体５を、出し入れ口が閉じられたその入れ物４に入れてある状態の物を、内部に有する事を特徴とする湯たんぽ構造。
【請求項４】
湯たんぽ１の内部にお湯に代表される液体６を入れて使用する湯たんぽであって、出し入れ口が閉じられた繊維製袋状又は網袋状又は穴あき袋状又は籠状又はそれらの複合型の入れ物４の隙間又は網目又は穴よりも大きい１個以上の、遠赤外線セラミック、遠赤外線を放射する無機質の個体、無機質の固体の３種類の内から成る混合物５を、出し入れ口が閉じられたその入れ物４に入れてある状態の物を、内部に有する事を特徴とする湯たんぽ構造。
【手続補正２】
【補正対象書類名】明細書
【補正対象項目名】全文
【補正方法】変更
【補正の内容】
【考案の詳細な説明】
【技術分野】
【０００１】  本考案は湯たんぽにおいて、内部にお湯に代表される液体を入れて使用する湯たんぽであって、遠赤外線セラミック、又は遠赤外線を放射する無機質の固体、又は無機質の固体、又はそれらの混合物を有し、その影響を比較的多く加える事のでき、かつ、使い勝手を損なわない湯たんぽ構造に係わる。
【背景技術】
【０００２】  従来から、湯たんぽの主目的は、身体や寝具を暖めるなどの局所的直接的暖房であり、使用時に内部に有する物質は液体であるお湯が主であった。一方、近年においては、遠赤外線セラミック、又は遠赤外線を放射する無機質の個体、又は磁石などの無機質の固体、又はそれらの混合物を使用した多様な温熱器具や暖房器具や入浴補助用品などが出回っている。【０００３】  例えば、遠赤外線やぐら湯たんぽが提案されている（特許文献１）。【０００４】  又、遠赤外線効果を有する保温体が提案されている（特許文献２）。【０００５】  又、磁力温熱押圧健康器が提案されている（特許文献３）。【０００６】  又、シリコンゴム製の氷枕又は湯たんぽが提案されている（特許文献４）。【０００７】  又、別の湯たんぽが提案されている（特許文献５）。
【先行技術文献】
【特許文献】
【特許文献１】特許公開２００１−２９３０２６公報
【特許文献２】登録実用新案第３０５５７９２号公報
【特許文献３】特許公開平５−２２８１９９公報
【特許文献４】登録実用新案第３１５４１３６号公報
【特許文献５】特許公開平２０１１−１４７５９９公報
【考案の概要】
【考案が解決しようとする課題】
【０００８】  しかしながら、特許文献１記載の遠赤外線やぐら湯たんぽでは、遠赤外線については、遠赤外線の放射効率の良い岩石の粉を鉄にまぶしただけである為、本考案の一部が可能にしている直径又は長い方の全長が１ｃｍ以上ある１個以上の遠赤外線セラミック、又は遠赤外線を放射する無機質の個体を有する湯たんぽよりも、遠赤外線の影響は少ない物と推察される。【０００９】  又、特許文献２記載の保温体においても、遠赤外線については、内部に有する穀類から放出される遠赤外線の影響は、本考案の一部が可能にしている直径又は長い方の全長が１ｃｍ以上ある１個以上の遠赤外線セラミック、又は遠赤外線を放射する無機質の個体を有する湯たんぽよりも少ない物と推察される上、繰り返し使用したり日数を重ねたりする内に、穀類の状態が粉砕や分解や発酵などにより変化したりする可能性がある。【００１０】  又、特許文献３の様にマグネット粒の様な無機質の固体を湯たんぽ本体の表面に嵌め入れ配列する構造では、本考案の一部が可能にしている湯たんぽよりもマグネット粒の様な無機質の固体を有する量又は質量の限度が比較的大きくない為、その影響の限度も比較的大きくない上、設計や製造に高い精度が要求され、その分の製造コストが高くなる事が考えられ、嵌め入れてある物がはずれるなどという故障の様な事が起こる可能性もある。【００１１】  又、特許文献４の請求項３の湯たんぽの様に遠赤外線放射材を湯たんぽ本体の表層又は裏層の様な層という薄い範囲の中に埋設する構造は、本考案の一部が可能にしている湯たんぽよりも遠赤外線放射材の量又は質量の限度が比較的大きくない為、その影響の限度も比較的大きくない上、設計や製造に高い精度が要求され、その分の製造コストも高くなる事が考えられる。【００１２】  又、特許文献５の様に「発砲樹脂成型体」という物を内部に有する構造では、本考案の一部が可能にしている遠赤外線の比較的多い放射については、遠赤外線の放射その物が全く想定されていない。又、冷めた液体を抜く際にしっかり気を付けていないと「発砲樹脂成型体」という物も一緒に湯たんぽの開口部から外に流れ出易い形態があり、その場合は使い勝手が損なわれる。【００１３】  本考案は、湯たんぽにおいて、内部にお湯に代表される液体を入れて使用する湯たんぽであって、出し入れ口を閉じられた繊維製袋状又は網袋状又は穴あき袋状又は籠状又はそれらの複合型の入れ物の隙間又は網目又は穴よりも大きい１個以上の遠赤外線セラミック、又は遠赤外線を放射する無機質の個体、又は無機質の固体、又はそれらの混合物を、出し入れ口が閉じられたその入れ物に入れてある状態の物を内部に有する事により、その遠赤外線セラミック、又は遠赤外線を放射する無機質の個体、又は無機質の固体、又はそれらの混合物の影響を加える事のでき、かつ、冷めた液体を抜く時も遠赤外線セラミック、又は遠赤外線を放射する無機質の個体、又は無機質の固体、又はそれらの混合物が湯たんぽの開口部から外に流れ出ずに済み、使い勝手を損なわない湯たんぽを提供できる事を目的とする。【００１４】  本考案によれば、湯たんぽでありながら、遠赤外線セラミック、又は遠赤外線を放射する無機質の個体、又は無機質の固体、又はそれら���混合物の影響も比較的多く加わる為、商品の付加価値を高め、購買意欲を喚起し、湯たんぽの拡販に資する事ができる。
【課題を解決するための手段】
【００１５】  本考案の湯たんぽ構造は、湯たんぽにおいて、お湯に代表される液体を入れて使用する湯たんぽであって、出し入れ口が閉じられた繊維製袋状又は網袋状又は穴あき袋状又は籠状又はそれらの複合型の入れ物の隙間又は網目又は穴よりも大きい１個以上の遠赤外線セラミック、又は遠赤外線を放射する無機質の個体、又は無機質の固体、又はそれらの混合物を、出し入れ口が閉じられたその入れ物に入れてある状態の物を内部に有するものである。
【考案の効果】
【００１６】  本考案の湯たんぽによれば、お湯に代表される液体による温熱効果の他に、出し入れ口が閉じられた繊維製袋状又は網袋状又は穴あき袋状又は籠状又はそれらの複合型の入れ物の隙間又は網目又は穴よりも大きい１個以上の遠赤外線セラミック、又は遠赤外線を放射する無機質の個体、又は無機質の固体、又はそれらの混合物の影響も加わり、かつ、冷めた液体を抜く時も遠赤外線セラミック、又は遠赤外線を放射する無機質の個体、又は無機質の固体、又はそれらの混合物が湯たんぽの開口部から外に流れ出ずに済み、使い勝手を損なわない湯たんぽの拡販に資する事ができる。
【考案を実施するための形態】
【００１７】  以下、本考案の湯たんぽ構造をその実施の最良の形態について図面に示す実施例に基づいて具体的に説明する。
【実施例】
【００１８】  ［図１］（ａ）、（ｂ）は本考案の実施例を示し、それぞれ本考案の湯たんぽ構造に使用する湯たんぽの一例を縦にした場合の正面図、正面からの断面図であり、出し入れ口が閉じられた繊維製袋状又は網袋状又は穴あき袋状又は籠状又はそれらの複合型の入れ物４の隙間又は網目又は穴よりも大きい１個以上の遠赤外線セラミック、又は遠赤外線を放射する無機質の個体、又は無機質の固体、又はそれらの混合物５を、出し入れ口が閉じられたその入れ物４に入れてある状態の物を内部に有する湯たんぽ１に、お湯に代表される液体６を入れて、ゴムパッキンが付属している口栓２をしっかりと閉めた状態である。尚、その入れ物４の隙間又は網目又は穴は、構造をわかり易くする為に図面では省略してある。【００１９】  使用後はゴムパッキンが付属している口栓２をはずして開口部３を下に向けると、冷めたお湯に代表される液体６だけが出し入れ口が閉じられた繊維製袋状又は網袋状又は穴あき袋状又は籠状又はそれらの複合型の入れ物４の隙間又は網目又は穴から出て、出し入れ口が閉じられたその入れ物４の隙間又は網目又は穴よりも大きい１個以上の遠赤外線セラミック、又は遠赤外線を放射する無機質の個体、又は無機質の固体、又はそれらの混合物５が湯たんぽ１の開口部３から外に流れ出ずに内部にとどまったまま有する状態である為、この湯たんぽ１を使用する方法は普通の湯たんぽ１と同じであり、使い勝手は損なわれない。遠赤外線セラミック、又は遠赤外線を放射する無機質の個体５は、通常はお湯やぬるま湯や水、即ちＨ２Ｏに大部分が溶けたり分散したり縮小したりする事はなく、無機質の固体、又はそれらの混合物５についても同様である事が確認された物を採用する事により、有機質の様に粉砕や分解や発酵などにより状態が変化したりする事も起こりにくいので繰り返し使用可能である。【００２０】  本考案を実施するにあたり、お湯に代表される液体を入れて使用する湯たんぽであれば、湯たんぽ１の種類はゴム製湯たんぽなどに限定される物ではない。
【産業上の利用可能性】
【００２１】  暖房用品の一種として、健康、医療、長寿、癒し、ペット、アウトドア、旅行、ドライブ、節電、電磁波過敏症対策等に係わる産業にも利用可能性がある物と考えられる。
【図面の簡単な説明】
【００２２】
【図１】（ａ）、（ｂ）は、それぞれ本考案の湯たんぽ構造に使用する湯たんぽの一例を縦にした場合の正面図、正面からの断面図である。
【００２３】１・・・・・・・湯たんぽ２・・・・・・・ゴムパッキンが付属している口栓３・・・・・・・開口部４・・・・・・・繊維製袋状又は網袋状又は穴あき袋状又は籠状又はそれらの複合型の入                れ物５・・・・・・・遠赤外線セラミック、又は遠赤外線を放射する無機質の個体、又は無機                質の固体、又はそれらの混合物６・・・・・・・お湯に代表される液体
【手続補正３】
【補正対象書類名】図面
【補正対象項目名】図２
【補正方法】削除
【補正の内容】